(57)【要約】【課題】大小及び様々な性状，形態のすべての印刷物に対して容易にパッド印刷ができ、被印刷物の配置される場所の如何にとわず印刷が可能であり、高精度の印刷が、簡単にできると共に簡便，安価にできる手動パッド印刷装置を提供する。【解決手段】回動可能に支柱２に支持されている第１のアーム３及び第２のアーム４を版板７や被印刷物１０と対向する位置に移動させ、場合によりパッド５を第１のアーム３側から取外すことにより、任意の位置にある被印刷物１０への印刷ができる。なお、第１のアーム３及び第２のアーム４は傾斜しながら上下方向に回動できる。これにより、高品質，高精度の印刷ができる。【選択図】図１
0003102553.tif 000002
【実用新案登録請求の範囲】
【請求項１】
土台に立設する支柱と、該支柱に基端部を枢支され上下方向に弾性支持される細長の第１のアーム及び第２のアームと、前記第１のアームに着脱可能に垂下支持されるパッドと、前記第２のアームに着脱可能に垂下支持されるインク送りスキージ及びドクタブレード機構部と、版板を着脱可能に固持する支持台と、被印刷物の搭載台とを有することを特徴とする手動パッド印刷装置。
【請求項２】
前記版板が各種材質のものからなり、該版板と前記支持台との間には前記版板の材質に対応する接着手段が介設されることを特徴とする請求項１に記載の手動パッド印刷装置。
【請求項３】
前記第１のアーム及び第２のアームの弾性支持部材が板バネからなることを特徴とする請求項１に記載の手動パッド印刷装置。
【考案の詳細な説明】
【技術分野】
【０００１】
本考案は、パッド印刷に関するものであり、特に、任意の場所における被印刷物への印刷が簡単な手動操作により行われ、被印刷物の大きさの大小やその印刷内容に拘らず所望の印刷が短時間に、かつ綺麗にできる手動パッド印刷装置に関する。
【背景技術】
【０００２】
パッド印刷装置としては従来より各種型式のものが採用されている。その印刷方法としては版板に形成されている印刷文字や絵柄等のパターンを弾性体のパッドにより転写し、これを被印刷物に押圧して印刷を行うものである。この場合に使用されるインクも各種のものがあり、ＵＶインクも使用されている。以上のパッド印刷装置としての公知技術も数多くあるが、例えば、「特許文献１」が挙げられる。
【特許文献１】特開平１１−１２３８１０（図１）
【考案の開示】
【考案が解決しようとする課題】
【０００３】
「特許文献１」の特開平１１−１２３８１０号のパッド印刷機はインキが塗布されている印板（版板）に転写パッドを押し付けて所定のパターンを構成するインキをパッドに付着させてこれを被印刷物に押し付けて印刷をするものであるが、その特徴としては転写パッドを印刷に押しつける前に加熱し、転写品質の向上を図ることを特徴としている。また、その（図１）に示すように、転写パッドはＸＺ方向に移動可能であるが、回転自在の構造でなく、その配置も限定され、少なくとも土台上に搭載されている被印刷物しか印刷できない問題点がある。また、転写パッドの押圧も単純Ｚ方向に沿って行われるに過ぎない。また、版板としては各種材質形状のものがあるが、これ等に対応する工夫もされていない。
【０００４】
本考案は、以上の事情に鑑みて考案されたものであり、装置の土台上に限らず装置まわりや、それから離れた移動にある被印刷物への印刷ができ、印刷もパッドの回動を伴って行われ、確実の印刷ができると共に、装置構造が簡便であり、取り扱い易く、かつ各種材質，形状の版板を使用することができ、各部のクリーニングやメンテナンスが容易にできる手動パッド印刷装置を提供することを目的とする。
【課題を解決するための手段】
【０００５】
本考案は、以上の目的を達成するため、請求項１の考案は、土台に立設する支柱と、該支柱に基端部を枢支され上下方向に弾性支持される細長の第１のアーム及び第２のアームと、前記第１のアームに着脱可能に垂下支持されるパッドと、前記第２のアームに着脱可能に垂下支持されるインク送りスキージ及びドクタブレード機構部と、版板を着脱可能に固持する支持台と、被印刷物の搭載台とを有することを特徴とする。
【０００６】
また、請求項２の考案は、前記版板が各種材質のものからなり、該版板と前記支持台との間には前記版板の材質に対応する接着手段が介設されることを特徴とする。
【０００７】
また、請求項３の考案は、前記第１のアーム及び第２のアームの弾性支持部材が板バネからなることを特徴とする。
【考案の効果】
【０００８】
本考案の請求項１の手動パッド印刷装置によれば、第２のアームの回動範囲にある版板上の凹溝にインクを充填した後、第１のアームをその位置まで回転してインクを転写し、第１のアームの回動範囲にある被印刷物に押圧することにより任意の位置にある各種サイズ，材質の被印刷物への印刷ができる。更に、パッドは第１のアームに着脱可能に支持されているためパッドを第１のアームから外すことにより任意の位置にある被印刷物への印刷もできる。また、アーム構造のため全体として簡便の構造からなる。また、インクのスキージ時においてもパッドによる印刷の場合もこれ等が弾性支持されているため第１のアーム及び第２のアームはその支柱側の枢支点（基端部）を中心に弾性部材の撓み分だけ回動することが可能となり、良品質のスキージと転写が行われる。
【０００９】
また、本考案の請求項２の手動パッド印刷装置によれば、各種材質の版板に対してもこれに対応する接着手段を版板と支持台間に設けることにより、任意の材質等の版板の着脱が容易に行われ、パッドへのインクの転写が高精度に行われる。
【００１０】
また、請求項３の手動パッド印刷装置によれば、弾性支持部材として板バネを用いるため、配置スペースを小さくとることができると共に、そのバネ力の設定が任意にでき、かつ組立性の向上も図れる。また、コスト低減も可能である。
【考案を実施するための最良の形態】
【００１１】
以下、本考案の手動パッド印刷装置の実施の形態を図面を参照して詳述する。図１は本考案に係る手動パッド印刷装置の概要構造を示すものである。手動パッド印刷装置１は大別して、土台１１上に立設される支柱２と、支柱２にその基端側を枢支される細長の第１のアーム３及び第２のアーム４と、第１のアーム３に着脱可能に垂下されるパッド５と、第２のアーム４に着脱可能に垂下されるインク送りスキージ及びドクタブレード機構部６と、版板７を着脱可能に固持する支持台８と、被印刷物１０を着脱可能に固持する搭載台９等とからなる。以下、以上の各構成要素の詳細構造を説明する。
【００１２】
土台１１は比較的肉厚の平板からなり、地面側にクッション部材１２を介してほぼ水平に配置される。肉厚の板としたのは、土台１１は地面側に固定してもよいが、移動性を発揮した方がベターのため地面側に搭載する型式のものが採用されている。印刷時には略水平方向への力も土台１１に作用するため土台１１を重量物として印刷中の自由移動を防止するようにしたものである。
【００１３】
支柱２は剛性のある形状の棒材であれば、その形状は任意のものでよいが、第１のアーム３や第２のアームの基端部を枢支する必要があり、かつ支柱２の長手方向に沿って第１及び第２のアーム３，４の移動を可能とする構造が好ましく、この実施形態では細長の丸棒とした。なお、印刷時には第１及び第２のアーム３，４を介して大きな力が作用するため、比較的剛性のあるものが望ましい。
【００１４】
図１及び第２に示すように第１のアーム３は、支柱２に枢支される環体１３に固定される支持板１３ａと、この支持板１３ａの先端側にピン支持される第１のロッド１４と、第１のロッド１４の先端に固定される把持部１５と、支持板１３ａに固定するバネ支持板１６と、バネ支持板１６及び／又は支持板１３ａの先端側に基端部及び／又は挟持される弾性部材としての板バネ１７等とからなる。
【００１５】
パッド５は、例えば、シリコン製で弾力のあるパッド本体５ａと、この基端側に固定されるパッド取付用板１８とからなり、パッド取付用板１８に固定されるねじ棒１９が第１のロッド１４に取外し可能に固定される。以上の構造により第１のアーム３は支柱２を中心として約３６０°回動可能であり、かつ把持部１５を押すことにより板バネ１７が撓み、この撓み分だけ第１のロッド１４は上下方向に回動可能になる。よって、パッド本体５ａの下端も傾斜を伴った上下移動することになる。また、第１のアーム３からパッド５を取外す必要があるときはねじ棒１９の第１のロッド１４の固持を解除すればよく、パッド５を離隔場所に運ぶことができる。
【００１６】
また、図１及び図２に示すように第２のアーム４は、支柱２に枢支される環体２０に固定される支持板２０ａと、この支持板２０ａの先端側にピン支持される第２のロッド２１と、第２のロッド２１と、第２のロッド２１を略上下方向に移動及び回動させるためのハンドル２２からなる。また、支持板２０ａにはバネ支持板２３が固定される。このバネ支持板２３及び／又は支持板２０ａの先端側にはその基端部を固定及び／又は挟持される弾性部材としての板バネ２４が設けられている。
【００１７】
図１及び図３によりインク送りスキージ及びドクタブレード機構部６の構造を説明する。この機構部６はインク送りスキージ２５ａとドクタブレード本体２６ａとからなり、これ等は第２のロッド２１の両側面にその基端部を固定されて垂下支持されている。インク送りスキージ２５ａには平板状のスキージ２５が回動可能に垂下支持され、ドクタブレード本体２６ａにはドクタブレード２６が固定される。スキージ２５及びドクタブレード２６は共に薄肉のプレートからなり、下端側はシャープの刃状のものからなる。
【００１８】
支柱台８は土台１１上に載置されその表面に平板状部材２７を設ける台からなる。一方、版板７は転写を要する各種のパターン２８を表面側に凹設したプレート状のものからなる。この版板７を支持台８の平板状部材２７に着脱可能に固着させるには、例えば、平板状部材２７と版板７の下面との間に版板７の材質に見合った接着部材２９を設けることが必要になる。なお、接着部材２９としては公知技術が採用され、その説明は省略する。なお、図１では支持台８は土台１１上に載置されているが土台１１まわりの任意の場所であってもよい。
【００１９】
搭載台９は図１では土台１１上に載置され、その上面には被印刷物１０が着脱可能に搭載し得る支持面３０がある。なお、この搭載台９も土台１１上に限らずその廻りに配置しても勿論よい。
【００２０】
次に、本考案の手動パッド印刷装置を用いた印刷方法を図１及び図４（ａ），（ｂ），（ｃ），（ｄ），（ｅ），（ｆ）により説明する。図４（ａ）に示すように版板７上にインク３１を供給する（このインク３１は任意のものでよいがＵＶインクの場合は加熱手段が必要になる）。第２のアーム４を回動しインク送りスキージ及びドクタブレード機構部６を版板７の平面に沿って矢印Ａ方向に移動し、インク３１を挾み込み図４（ｂ）のように版板７の表面にスキージ２５とドクタブレード２６とを接触させながら矢印Ａ方向に移動させる。これにより、図４（ｃ）に示すように版板７のパターン２８内にはインク３１が充填される。
【００２１】
次に、第２のアーム４を回動させて版板７上から離れさせた後、第１のアーム３を回動させて図４（ｄ）に示すようにパッド５をパターン２８の上面に位置決めし、把持部１５を押してパッド５をパターン２８に押し付ける。この場合、前記したようにパッド５は板バネ１７の存在により傾斜しながら上下方向に移動する。このため、単に上下方向のみにパッド５を移動した場合よりもパッド５にパターン２８が転写し易くなる。
【００２２】
パターン２８を転写したパッド５は第１のアーム３の回動により搭載台９上の被印刷物１０と対応する位置に移動される。ここで、図４（ｅ）に示すようにパッド５を被印刷物１０に押圧することにより図４（ｆ）に示すように被印刷物１０にパターン２８が転写される。この場合もパッド５は板バネ２４の存在により傾斜しながら上下動するため被印刷物への転写が正確に行われ、高品質の印刷を行うことができる。
【産業上の利用可能性】
【００２３】
以上により、本考案の手動パッド印刷装置の構造と方法を説明したが、以上の内容に限定するものではなく、同一範疇に属するものに適用される。また、本装置は以上に説明した印刷内容に限定するものではなく各種の材質，形態，被印刷物に適用され、そのパターンの大きさは大小自由にできる。例えば、人間の爪にも適用される。なお、爪については公知技術が存在するが足爪対称のものは存在しない。また、その公知技術のパターンは限定されたものであるが、本装置の場合、パソコンを付設させて任意のパターンの版板を容易に作り出すことができ、この任意のパターンを任意の物に転写することができる。このため、本装置の利用範囲は極めて広く、印刷可能のすべてのものに適用される。また、装置構造が簡単のため、比較的安価に製作，実施できる。
【図面の簡単な説明】
【００２４】
【図１】本考案の手動パッド印刷装置の全体概要構造を示す斜視図。
【図２】本考案の手動パッド印刷装置の第１のアーム及び第２のアームの弾性支持構造を示す正面図。
【図３】本考案におけるインク送りスキージ及びドクタブレード機構部の構造とこの版板との係合状態を示す正面図。
【図４】本考案の手動パッド印刷装置による印刷方向を説明するための模式図（（ａ）〜（ｆ））。
【符号の説明】
【００２５】
１      手動パッド印刷装置
２      支柱
３      第１のアーム
４      第２のアーム
５      パッド
５ａ    パッド本体
６      インク送りスキージ及びドクタブレード機構部
７      版板
８      支持台
９      搭載台
１０    被印刷物
１１    土台
１２    クッション部材
１３    環体
１３ａ  支持板
１４    第１のロッド
１５    把持部
１６    バネ支持板
１７    板バネ
１８    パッド取付用板
１９    ねじ棒
２０    環体
２０ａ  支持板
２１    第２のロッド
２２    ハンドル
２３    バネ支持板
２４    板バネ
２５    スキージ
２５ａ  インク送りスキージ
２６    ドクタブレード
２６ａ  ドクタブレード本体
２７    平板状部材
２８    パターン（凹溝）
２９    接着部材
３０    支持面
３１    インク
【図１】
0003102553.tif 000003
【図２】
0003102553.tif 000004
【図３】
0003102553.tif 000005
【図４】
0003102553.tif 000006